(57)【要約】【課題】レンズ鏡筒の品位を損なうことを防止すること。【解決手段】複数の光学部材（１００１，１００３，１００４）と、前記複数の光学部材を保持する保持枠（２）と、を有するレンズ鏡筒であって、前記複数の光学部材のうち第１の光学部材（１００１）と第２の光学部材（１００３）との間に配置される遮光部材（１００２）と、前記保持枠における前記第２の光学部材を保持する第２の保持部（１００３ａ）に形成され、前記第２の光学部材を固定する固定部材を導入するための導入部（３０１）と、を有し、前記遮光部材は、前記複数の光学部材の光軸方向において、前記導入部、および、前記保持枠における前記第１の光学部材を保持する第１の保持部（１００１ａ）と重なる突起部（１００２ａ）を有することを特徴とする。【選択図】  図６
2016114847.tif 000002
【特許請求の範囲】
【請求項１】
複数の光学部材と、
前記複数の光学部材を保持する保持枠と、を有するレンズ鏡筒であって、
前記複数の光学部材のうち第１の光学部材と第２の光学部材との間に配置される遮光部材と、
前記保持枠における前記第２の光学部材を保持する第２の保持部に形成され、前記第２の光学部材を固定する固定部材を導入するための導入部と、を有し、
前記遮光部材は、前記複数の光学部材の光軸方向において、前記導入部、および、前記保持枠における前記第１の光学部材を保持する第１の保持部と重なる突起部を有することを特徴とするレンズ鏡筒。
【請求項２】
前記第１の保持部は、前記遮光部材を収納および保持し、内周面に前記突起部を収納するための切り欠きを有することを特徴とする請求項１に記載のレンズ鏡筒。
【請求項３】
前記第１の光学部材は、前記遮光部材の第１面と当接することを特徴とする請求項１または２に記載のレンズ鏡筒。
【請求項４】
前記第２の光学部材は、前記遮光部材の前記第１面とは反対側の第２面と当接し、前記遮光部材の第２面上で位置調整されたのちに前記固定部材により固定されることを特徴とする請求項３に記載のレンズ鏡筒。
【請求項５】
前記導入部は、前記第２の保持部を貫通する貫通孔を有し、前記貫通孔は、前記切り欠きと接続することを特徴とする請求項２に記載のレンズ鏡筒。
【請求項６】
前記保持枠は、前記第１の保持部と前記第２の保持部の間に段差部を有し、前記遮光部材が当接する受け面を有することを特徴とする請求項１ないし５のいずれか１項に記載のレンズ鏡筒。
【請求項７】
前記第２の光学部材と隣接する第３の光学部材を有し、
前記第２の光学部材は、前記第１の光学部材と前記第３の光学部材の間に配置されることを特徴とする請求項１ないし６のいずれか１項に記載のレンズ鏡筒。
【請求項８】
前記保持枠は、前記第２の光学部材と前記第３の光学部材の間に、光量を規制するための固定絞り部を有することを特徴とする請求項７に記載のレンズ鏡筒。
【請求項９】
前記導入部は、前記第３の光学部材の外径よりも外側に配置されることを特徴とする請求項７または８に記載のレンズ鏡筒。
【請求項１０】
前記第２の光学部材の位置調整を行うための位置調整部を有することを特徴とする請求項１ないし９のいずれか１項に記載のレンズ鏡筒。
【請求項１１】
前記位置調整部は、前記レンズ鏡筒の中心軸の周方向において、前記導入部と異なる位置に配置されることを特徴とする請求項１０に記載のレンズ鏡筒。
【請求項１２】
前記第１の光学部材の径は、前記第２の光学部材の径よりも大きいことを特徴とする請求項１ないし１１のいずれか１項に記載のレンズ鏡筒。
【請求項１３】
前記固定部材は、接着剤であることを特徴とする請求項１ないし１２のいずれか１項に記載のレンズ鏡筒。
【請求項１４】
請求項１ないし１３のいずれか１項に記載のレンズ鏡筒と、
前記レンズ鏡筒を該レンズ鏡筒の光軸に沿って移動させる移動機構と、
を有することを特徴とする光学機器。
【請求項１５】
請求項１ないし１３のいずれか１項に記載のレンズ鏡筒と、
前記レンズ鏡筒を介した光を受光する撮像素子と、
を有することを特徴とする撮像装置。
【発明の詳細な説明】
【技術分野】
【０００１】
本発明は、レンズ鏡筒に関し、特に光学部材の位置調節機構を備えたレンズ鏡筒に関する。
【背景技術】
【０００２】
従来、光学部材であるところのレンズを光軸に対して偏芯させたり、倒したりすることで、他のレンズ位置のバラツキによる光学性能劣化、例えば画面左右または上下での合焦位置ずれやコマ収差等の性能を補正する機構を備えたレンズ鏡筒がある。
【０００３】
特許文献１で開示されているレンズ鏡筒では、レンズを保持した鏡筒に穴をあけ、そこから調整用治工具を挿入することでレンズの位置調整を行い、調整後接着固定をする構成が開示されている。この構成は、鏡筒を熱変形させるいわゆる熱加締め等の方法ではスペース規制によってレンズが固定できないことを想定し、レンズ調整の必要性がなくとも鏡筒の穴から接着剤を鏡筒内へ流し込むことでレンズを固定することができる。
【先行技術文献】
【特許文献】
【０００４】
【特許文献１】特開平７−５３５２号公報
【発明の概要】
【発明が解決しようとする課題】
【０００５】
しかしながら、レンズの調整を行った場合でも、レンズの調整は行わないが単にレンズ鏡筒の省スペースおよび小型化を考慮した場合でも、レンズを固定するために接着剤を使用した際に、その接着剤が外観からレンズを通して見える場合がある。その場合、外観からレンズを通して接着剤が見えるため、レンズ鏡筒の品位を損ねる虞がある。
【０００６】
そこで、本発明は、上記課題を鑑み、レンズ鏡筒の品位を損なうことを防止することを目的とする。
【課題を解決するための手段】
【０００７】
本発明の一側面としてのレンズ鏡筒は、複数の光学部材と、前記複数の光学部材を保持する保持枠と、を有するレンズ鏡筒であって、前記複数の光学部材のうち第１の光学部材と第２の光学部材との間に配置される遮光部材と、前記保持枠における前記第２の光学部材を保持する第２の保持部に形成され、前記第２の光学部材を固定する固定部材を導入するための導入部と、を有し、前記遮光部材は、前記複数の光学部材の光軸方向において、前記導入部、および、前記保持枠における前記第１の光学部材を保持する第１の保持部と重なる突起部を有することを特徴とする。
【０００８】
本発明の他の目的及び特徴は、以下の実施例において説明される。
【発明の効果】
【０００９】
本発明によれば、レンズ鏡筒の品位を損なうことを防止することができる。
【図面の簡単な説明】
【００１０】
【図１】本発明の実施例による交換レンズの沈胴状態の断面図である。
【図２】本発明の実施例による交換レンズの撮影（ＴＥＬＥ）状態の断面図である。
【図３】本発明の実施例による交換レンズの撮影（ＷＩＤＥ）状態の断面図である。
【図４】本発明の実施例による交換レンズの１群レンズユニット斜視図である。
【図５】本発明の実施例による交換レンズとカメラ本体のシステムブロック図である。
【図６】本発明の実施例による交換レンズの１群レンズユニット断面図である。
【図７】本発明の実施例による交換レンズの１群鏡筒断面図である。
【図８】本発明の実施例による交換レンズの１群レンズユニット詳細拡大図である。
【図９】本発明の実施例による交換レンズの１群鏡筒詳細拡大図である。
【図１０】本発明の実施例による交換レンズの１群鏡筒斜視図である。
【発明を実施するための形態】
【００１１】
以下に、本発明の好ましい実施の形態を、添付の図面に基づいて詳細に説明する。
【実施例１】
【００１２】
以下、図１〜８を参照して、本発明の実施例による光学機器であるところの交換レンズ２００について説明する。図１は、本発明の実施例にかかわる交換レンズ２００の断面図である。図１では、撮影状態より全長が短い沈胴状態における交換レンズ２００の断面図を示している。
【００１３】
１は光学系の一部を構成する１群レンズ（光学部材）を示し、２はレンズ保持枠であるところの１群レンズ１を保持する１群鏡筒（レンズ鏡筒）を示し、１７は１群鏡筒を固定する１群筒を示す。３は光学系の一部を構成する２群レンズを示し、４は２群レンズ３を保持する２群ユニットを示す。２群ユニット４は光軸に対して垂直な面上で２群レンズ３を移動することで、いわゆる手ブレを補正する光学防振機能を果たす。５は光学系の一部を構成する３群レンズを示し、６は３群レンズ５を保持する３群鏡筒である。７は光学系の一部を構成する４群レンズを示し、８は４群レンズ７を保持する４群鏡筒であり、３群鏡筒６に固定される。９は光学系の一部を構成するフォーカスレンズを示し、１０はフォーカスレンズ９を保持するフォーカス鏡筒を示し、３群鏡筒６に設けられた不図示の直進案内機構、駆動機構によって光軸方向へ移動し、合焦動作を行う。１１は光学系の一部を構成する５群レンズを示し、１２は５群レンズ１１を保持する５群鏡筒を示す。以上で述べた各レンズ（光学部材）は、それぞれが１つのレンズで構成されるわけではなく、複数のレンズによって構成される場合もあるが、説明の便宜上、上記においては詳細を割愛する。３４は光量調節を行う絞りユニットであり、３群鏡筒６に固定される。絞りユニット３４を固定した後、２群ユニット４も３群鏡筒６に固定される。なお、上述した各レンズおよび絞りユニット３４により本実施例の交換レンズ２００における撮影光学系が構成される。１４は案内筒を示し、１６は案内筒１４の外周に回転可能に嵌合したカム環を示す。１８はカム環付勢バネであり、図示した断面とは異なる回転位相位置で案内筒１４にカム環１６を付勢する。２３は固定鏡筒を示し、案内筒１４を固定する。３１はレンズの駆動用ＩＣ、マイコン等が配置されたプリント基板を示し、固定鏡筒２３に固定されている。２７は外観リングユニットであり、３２はマウントである。マウント３２は固定鏡筒２３にビス固定される。外観リングユニット２７は固定鏡筒２３とマウント３２に挟まれ固定される。３６は裏蓋であり、マウント３２に固定されている。１９はマニュアルフォーカスリングユニットであり、固定鏡筒２３を軸として定位置回転可能に支持されている。マニュアルフォーカスリングユニット１９を回転させると、その回転を不図示のセンサが検出し、回転量に応じてフォーカスレンズ９およびフォーカス鏡筒１０を駆動し、合焦制御を行う。フォーカスレンズ９およびフォーカス鏡筒１０は不図示のガイド機構によって、光軸に沿って進退可能に支持される。フォーカス鏡筒１０には、不図示のフォーカス駆動源としてのステッピングモータの回転軸となっているスクリューと螺合する不図示のナットやいわゆるラックが設置されている。よって、不図示のステッピングモータに電圧が印加されると、スクリューが回転し、ナットやラックがネジに沿って移動するとともに、フォーカス鏡筒１０が不図示のガイド機構に沿って進退する。本実施例において、このガイド機構はいわゆるガイドバーと呼ばれる光軸に伸びた円筒部材を２本使用しており、２本の内、一方がフォーカス鏡筒１０の倒れ／偏芯を決め、他方で回転位置を決めながら、フォーカス鏡筒１０を進退可能に支持している。フォーカス鏡筒１０の光軸方向の位置基準は、フォーカス鏡筒１０に取り付けられた不図示の遮光壁によって、不図示のフォトインタラプタの遮光／透光の切り替わりを電気的に検出し、決定される。３３は接点ブロックであり、プリント基板３１と不図示の配線（フレキシブル基板など）によって接続されて、マウント３２にビス固定される。５００は撮像装置であるところのカメラ本体であり、本実施例の交換レンズ２００はカメラ本体５００にマウント３２でバヨネット固定される。カメラ本体５００に交換レンズ２００がマウント３２で固定されると、各レンズの動作を制御するプリント基板３１は接点ブロック３３を通してカメラ本体５００と通信可能となる。６００はカメラ本体５００に搭載された撮像素子であり、交換レンズ２００を通過した被写体からの光を受け、その光を電気信号に変換するＣＭＯＳやＣＣＤ等の光-電気変換素子である。このように、撮像装置であるカメラ本体５００は、交換レンズ２００（撮影光学系）を介した光を受光する撮像素子６００を備えている。なお、本実施例では、レンズ交換型の撮像装置に適用した場合について説明するが、本発明はこれに限定されず、レンズ一体型の撮像装置に適用することも可能である。
【００１４】
次に、各レンズのズーム動作について説明する。
【００１５】
１群鏡筒２および１群筒１７は、１群筒１７に設置された不図示のコロにてカム環１６に係合されており、カム環１６の光軸周りの回転に伴い光軸方向に移動することができる。２８はカラーフィルタやフードなどの付属品を固定可能なフィルタリングであり、２９はフィルタリング２８に固定されたネームリングである。フィルタリング２８は１群筒１７にビス固定されて、１群筒１７と一体となって移動する。１５は案内筒１４の物体側先端に固定された第１キーリングである。第１キーリング１５に設置された不図示の３ヵ所の突起が１群筒１７内面に設置された不図示の３ヵ所の直進溝にそれぞれ係合し、１群筒１７の直進移動を支持する。３群鏡筒６は不図示のコロにてカム環１６に係合されている。したがって、３群鏡筒６は、３群鏡筒６に固定される２群ユニット４、絞りユニット３４、４群鏡筒８、フォーカス鏡筒１０およびその案内機構・駆動機構、５群鏡筒１２と共にカム環１６の光軸周りの回転に伴い光軸方向に移動することができる。１３は３群鏡筒６に固定された第２キーリングである。第２キーリング１３に設置された不図示の３ヵ所の突起が１群筒１７内面に設置された不図示の３ヵ所の直進溝にそれぞれ係合し、３群鏡筒６の直進移動を支持する。３０はマスクであり、２群ユニット４に固定され、不要光をカットする機能と内部構造を目隠しする機能を果たす。
【００１６】
３５はマニュアルズームリングであり、固定鏡筒２３に回転自在に支持される。カム環１６は外径面に設置された不図示のコロを介してマニュアルズームリング３５と連結されており、撮影者がマニュアルズームリング３５を回転させることでカム環１６が回転する。カム環１６の外面には不図示ではあるが１群筒１７に設置された不図示のコロと係合するカム溝が設置されており、また、内面には３群鏡筒６に設置された不図示のコロと係合するカム溝が設置されている。これらのカム溝は、マニュアルズームリング３５を回転させることで、交換レンズ２００が図１の沈胴状態から交換レンズ２００の全長が伸長した図３のＷＩＤＥ撮影状態となる。そして撮影状態においてはＷＩＤＥから図２のＴＥＬＥ撮影状態間で各レンズが光学的に所望のレンズ間隔となる軌跡となっている。マニュアルズームリング３５の回転は不図示のセンサによって検出され、その信号をプリント基板３１のＩＣで、回転量に応じてズーム位置を判断し、ズーム位置に応じたフォーカス、防振、絞りの制御を行う。マニュアルズームリング３５には、マニュアルズームリング３５を単に回転させるだけで撮影状態から沈胴状態にならないよう、不図示のロック機構が設けられている。
【００１７】
このように、光学機器である交換レンズ２００は、複数の鏡筒（レンズ鏡筒）をその内部に有し、撮影光学系の光軸（レンズ鏡筒の光軸または中心軸）に沿って該複数の鏡筒を移動させる移動機構を備えている。
【００１８】
図５には、本実施例の光学機器であるところの交換レンズ２００と撮像装置であるところのカメラ本体５００のカメラシステム（撮像システム）の電気的構成を示す。
【００１９】
５０１はマイクロコンピュータにより構成されるカメラＣＰＵである。カメラＣＰＵ５０１は、カメラ本体５００内の各部の動作を制御する。また、カメラＣＰＵ５０１は、交換レンズ２００の装着時には電気接点５０２，２０２を介して、交換レンズ２００内に設けられたレンズＣＰＵ２０１との通信を行う。カメラＣＰＵ５０１がレンズＣＰＵ２０１に送信する情報（信号）には、フォーカスレンズの駆動量情報、平行振れ情報およびピント振れ情報が含まれる。また、レンズＣＰＵ２０１からカメラＣＰＵ５０１に送信する情報（信号）には、撮像倍率情報が含まれる。なお、電気接点５０２，２０２には、カメラ本体５００から交換レンズ２００に電源を供給するための接点が含まれている。
【００２０】
５０３は撮影者により操作可能な電源スイッチであり、カメラＣＰＵ５０１を起動したりカメラシステム内の各アクチュエータやセンサ等への電源供給を開始したりするためのスイッチである。５０４は撮影者により操作可能なレリーズスイッチであり、第１ストロークスイッチＳＷ１と第２ストロークスイッチＳＷ２とを有する。レリーズスイッチ５０４からの信号は、カメラＣＰＵ５０１に入力される。カメラＣＰＵ５０１は、第１ストロークスイッチＳＷ１からのＯＮ信号の入力に応じて、撮影準備状態に入る。撮影準備状態では、測光部５０５による被写体輝度の測定と、焦点検出部５０６によって焦点検出を行わせる。カメラＣＰＵ５０１は、測光結果に基づいて絞りユニット３４の絞り値や撮像素子６００の露光量（シャッタ秒時）等を演算する。また、焦点検出部５０６による撮影光学系の焦点状態の検出結果である焦点情報（デフォーカス量およびデフォーカス方向）に基づいて、被写体に対する合焦状態を得るためのフォーカスレンズ９およびフォーカス鏡筒１０の駆動量（駆動方向を含む）を決定する。上記駆動量の情報（フォーカスレンズ駆動量情報）は、レンズＣＰＵ２０１に送信される。さらに、カメラＣＰＵ５０１は、所定の撮影モードになると、２群ユニット４のシフト駆動、つまりは防振動作の制御を開始する。レンズＣＰＵ２０１は、交換レンズ２００の各構成部の動作を制御する。
【００２１】
第２ストロークスイッチ（ＳＷ２）からのＯＮ信号が入力されると、カメラＣＰＵ５０１は、レンズＣＰＵ２０１に対して絞り駆動命令を送信し、絞りユニット３４を先に演算した絞り値に設定させる。また、カメラＣＰＵ５０１は、露光部５０７に露光開始命令を送信し、不図示のミラーの退避動作や不図示のシャッタの開放動作を行わせ、撮像素子６００を含む撮像部５０８にて、被写体像の光電変換、すなわち露光動作を行わせる。
【００２２】
撮像部５０８（撮像素子６００）からの撮像信号は、カメラＣＰＵ５０１内の信号処理部にてデジタル変換され、さらに各種補正処理が施されて画像信号として出力される。画像信号（データ）は、画像記録部５０９において、フラッシュメモリ等の半導体メモリ、磁気ディスク、光ディスク等の記録媒体に記録保存される。
【００２３】
２０４はＭＦリング回転検出部であり、マニュアルフォーカスリングユニット１９とその回転検出を行う不図示のセンサとを含む。
【００２４】
２０５はＺＯＯＭリング回転検出部であり、マニュアルズームリング３５とその回転検出を行う不図示のセンサとを含む。
【００２５】
２０６はＩＳ駆動部であり、防振動作を行う２群ユニット４の駆動アクチュエータとその駆動回路とを含む。
【００２６】
２０９はＡＦ駆動部であり、カメラＣＰＵ５０１から送信されたフォーカスレンズ駆動量情報に応じて不図示のＡＦモータを通じてフォーカス鏡筒１０のＡＦ駆動を行う。
【００２７】
２０８は電磁絞り駆動部であり、カメラＣＰＵ５０１からの絞り駆動命令を受けたレンズＣＰＵ２０１により制御されて、図１に示した絞りユニット３４を指定された絞り値に相当する開口状態に動作させる。
【００２８】
２１１は交換レンズ２００に搭載され、プリント基板３１に接続された角速度センサである。角速度センサ２１１は、カメラシステムの角度振れである縦（ピッチ方向）振れと横（ヨー方向）振れのそれぞれの角速度を示す角速度信号をレンズＣＰＵ２０１に出力する。レンズＣＰＵ２０１は、角速度センサ２１１からのピッチ方向およびヨー方向の角速度信号を電気的又は機械的に積分して、それぞれの方向での変位量であるピッチ方向振れ量及びヨー方向振れ量（これらをまとめて角度振れ量ともいう）を演算する。そしてレンズＣＰＵ２０１は、上述した角度振れ量と平行振れ量の合成変位量に基づいてＩＳ駆動部２０６を制御して２群ユニット４をシフト駆動させ、角度振れ補正および平行振れ補正を行う。
【００２９】
また、レンズＣＰＵ２０１は、ピント振れ量に基づいてＡＦ駆動部２０９を制御してフォーカス鏡筒１０を光軸方向に駆動させ、ピント振れ補正を行う。
【００３０】
つぎに、本実施例のレンズにおける光学調整機構（位置調整機構）について説明する。
【００３１】
本実施例の交換レンズ２００は、いくつかのレンズを偏芯し、もしくは倒れさせ、または光軸方向に沿って移動させることで、所望の光学性能を得るための光学調整を行う。その１つとしては、第４レンズ７を支持する４群鏡筒８を３群鏡筒６に固定する際、互いの受け面にワッシャを挟み、その厚みを変えることで、４群鏡筒８の３群鏡筒６に対するスラスト位置、すなわちそれぞれの鏡筒が支持するレンズの間隔を変更する。この光学調整はレンズと鏡筒を一体的に移動させる光学調整であるが、鏡筒に支持された複数のレンズの内、１つだけをその鏡筒内部で位置調節して固定する場合もある。その構成について、図４、図６、図７、図８、図９、図１０を用いて以下で説明する。
【００３２】
図４は１群鏡筒２が支持する複数のレンズ（光学部材）で構成された１群レンズ１の分解斜視図である。このように、本実施例の１群鏡筒２は、複数の光学部材と、該複数の光学部材を保持する保持枠と、を備えたレンズ鏡筒である。
【００３３】
１００１は第１の光学部材であるところの第１レンズである。１００３は第２の光学部材であるところの第２レンズである。第１レンズ１００１と第２レンズ１００３は、１群鏡筒２に対し、物体側から挿入される。その際、第１レンズ１００１と第２レンズ１００３の間には遮光部材であるところのマスク１００２が挟まれて配置される。１００４は第３の光学部材であるところの第３レンズであり、第３レンズ１００４は１群鏡筒２に対し、撮像素子６００側（像側）から挿入される。このように、図１（および図２、図３）で説明した１群レンズ１は、第１レンズ１００１、第２レンズ１００３、マスク１００２、第３レンズ１００４から構成される。マスク１００２は、第１レンズ１００１と隣接し、かつ、第２レンズ１００３とも隣接している。つまり、マスク１００２は、第１レンズ１００１と第２レンズ１００３との間に配置される。また、第２レンズ１００３は、第３レンズ１００４と隣接している。つまり、第２レンズ１００３は、第１レンズ１００１と第３レンズ１００４の間に配置される。本実施例において、第１レンズ１００１の最も小さい外径は、第２レンズ１００３の外径よりも大きく、第２レンズ１００３の外径は、第３レンズ１００４の外径よりも大きい。つまり、第１レンズ１００１の外径よりも第２レンズ１００３の外径の方が小さく、第２レンズ１００３の外径よりも第３レンズ１００４の外径の方が小さい。なお、図１（および図２、図３）では、第１レンズ１００１、第２レンズ１００３、マスク１００２、第３レンズ１００４をまとめて１つのレンズとして表記している。１００２ａはマスク１００２に設置されたマスク突起部で、マスク１００２のドーナツ形状の円周（外周）に１２０°均等に３か所設置されている。
【００３４】
図６は１群レンズ１および１群鏡筒２（レンズ鏡筒）の断面図であり、第１レンズ１００１、マスク１００２、第２レンズ１００３と、第３レンズ１００４が１群鏡筒２へ挿入されている状態を示す。１群鏡筒２は、図６に示すように、第１レンズ１００１およびマスク１００２を収納および保持する第１の保持部１００１ａを有する。また、第２レンズ１００３を収納および保持する第２の保持部１００３ａを有する。また、第３レンズ１００４を収納および保持する第３の保持部１００４ａを有する。すなわち、１群鏡筒２（保持枠）は、第１の保持部１００１ａ、第２の保持部１００３ａ、第３の保持部１００４ａから構成される。図７は１群鏡筒２（保持枠）のみの断面図である。
【００３５】
１群レンズ１の組み立てとしては、まず第２レンズ１００３を挿入したのちにマスク１００２を受け面３０４に突き当たるところまで挿入する。すなわち、１群鏡筒２は、第１の保持部１００１ａと第２の保持部１００３ａとの間に段差部を有し、該段差部はマスク１００２が当接する受け面３０４を有している。これにより、１群鏡筒２の中心軸が延びる方向におけるマスク１００２の位置決めを容易に行うことができる。マスク１００２の偏芯方向の位置決めは、１群鏡筒２の嵌合径３０６とマスク１００２の外径による。ここで、マスク１００２には第１の外径より大きい径となる第２の外径を有するマスク突起１００２ａが３か所設置されているが、その組み立て方法については後述する。次に、マスク１００２に突き当たるところまで第１レンズ１００１を挿入し、１群鏡筒２の一部を熱によって変形させる、いわゆる熱加締めによって第１レンズ１００１を固定する。したがって、第１レンズ１００１は、１群鏡筒２に固定された状態で、マスク１００２の一面（第１面）と当接する。第１レンズ１００１の最大外径と１群鏡筒２が嵌合することで第１レンズ１００１の偏芯方向の位置決めを行う。第３レンズ１００４は前述のとおり第１レンズ１００１とは逆側から、第２レンズ１００３との間に、１群鏡筒２に一体的に成形された固定絞り部であるところの固定絞り３０７を挟む位置で１群鏡筒２に挿入する。換言すれば、１群レンズ１を組み立てる際、第２レンズ１００３と第３レンズ１００４の間には、光量を規制するための固定絞り３０７が配置される。そして、１群鏡筒２に挿入された第３レンズ１００４は、固定絞り３０７の脇に設置された所定の受け面に突き当てられ、外径を１群鏡筒２と嵌合させた状態で位置決めし、熱加締めによって固定される。
【００３６】
しかしながら、マスク１００２や第１レンズ１００１より先に組み立てられた第２レンズ１００３は、図６に示す通り、１群鏡筒２に対して光軸方向と偏芯方向にクリアランスがあり、位置が決まっていない状態である。これは、第２レンズ１００３を偏芯方向に位置調整可能にするためである。第２レンズ１００３はマスク１００２に突き当てた状態で図６の矢印方向に偏芯させ、１群鏡筒２に３か所設けられた導入部であるところの接着溜まり部３０１に接着剤３０２を塗布し、所望の偏芯位置で固定される。このように、１群鏡筒２には、その内部にある第２レンズ１００３を固定する接着剤３０２（固定部材）を導入するための接着溜まり部３０１（導入部）が設けられている。接着溜まり部３０１は、１群鏡筒２（保持枠）のうち第２レンズ１００３を保持する第２の保持部１００３ａに形成され、保持枠の周方向の異なる位置に３か所形成される。後述するように、マスク１００２の周方向に３か所形成されたマスク突起部１００２ａは、この保持枠の周方向に３か所形成された接着溜まり部３０１に対応するように配置される。第２レンズ１００３は、マスク１００２の一面（第１面とは反対側の第２面）と当接し、該第２面上で位置調整されたのちに接着剤３０２により固定されるため、１群鏡筒２に固定された状態で、マスクの一面（第２面）と当接する。もちろんではあるが、接着剤３０２が第２レンズ１００３とマスク１００２の間にだけ塗布されては、マスク１００２が変形部材であるため、第２レンズ１００３の位置を固定することはできない。よって接着剤３０２は、１群鏡筒２と第２レンズ１００３との両方に付着、塗布されることで第２レンズ１００３が固定される。第２レンズ１００３の位置調整は、第１レンズ１００１と第３レンズ１００４とがそれぞれ持つ光軸に対して第２レンズ１００３の光軸を合わせるように行われる。本実施例においては、このレンズユニットのみ調整を行うことが、交換レンズ２００全体として所望の光学性能を得るために必要となっている。この位置調整は、不図示の調整治具によって第２レンズ１００３をマスク１００２に、すなわち第１レンズ１００１に押しつけられた状態で行われ、第１レンズ１００１、第３レンズ１００４と第２レンズ１００３とのレンズ間隔が一定になるようにしている。もちろん第２レンズ１００３の位置調整として、第２レンズを第３レンズ側の１群鏡筒２の壁に押し付けられた状態でも調節可能である。しかし、本実施例の光学系においては、第３レンズ１００４より、第１レンズ１００１と第２レンズ１００３との間のレンズ間隔変化のほうが光学性能に対する影響度（いわゆる敏感度）が高いため、このような構成を採用している。また、第３レンズ１００４の外径より、第２レンズ１００３の外径近傍に設けた接着溜まり部３０１が外側にある。換言すれば、１群鏡筒２の接着溜まり部３０１は、１群鏡筒２の中心軸と直交する方向において、第３レンズ１００４の外径よりも外側に配置される。このような外径の大小関係によって、接着剤３０２が１群鏡筒２の外側へはみ出しにくい形状の接着溜まり部３０１をモールド成形することができる。
【００３７】
次に、図１０は１群鏡筒２の斜視図である。
【００３８】
前述の第２レンズ１００３の偏芯方向の位置調整を行うため、不図示の調整工具を用いることを記載したが、その調整工具は１群鏡筒２に設けた３か所の調整穴３０５から挿入され、第２レンズ１００３の偏芯を行える構造となっている。換言すれば、１群鏡筒２は、第２レンズ１００３の位置調整を行うための位置調整部であるところの調整穴３０５をさらに備えている。調整穴３０５は、本実施例では、別途設けられている接着溜まり部３０１と周方向の位相が異なる１２０°等分で配置される。すなわち、調整穴３０５は、１群鏡筒２の中心軸の周方向において、接着溜まり部３０１と異なる位置に配置される。そのため、調整工具が第２レンズ１００３に接触したままでも接着作業ができるようになっている。
【００３９】
次にマスク１００２およびマスク突起部１００２ａの組み込みについて図８、９を用いて説明する。図８は図６の断面図に記載のＢ部の詳細拡大図である。図９は図７の断面図に記載のＤ部の詳細拡大図である。
【００４０】
図９に示すように、第１の保持部１００１ａは、内周面にマスク突起部１００２ａを収納するための非貫通の切り欠き１００１ｂを有する。また、接着溜まり部３０１は、図９に示すように、第２の保持部１００３ａを貫通する貫通孔１００３ｂを有する。また、貫通孔１００３ｂは、切り欠き１００１ｂと接続している。
【００４１】
マスク１００２が１群鏡筒２に組み込まれる過程において、受け面３０４に突き当てられるまでの間、嵌合径３０６およびマスク１００２の第１の外径より凸となる３か所のマスク突起１００２ａは、その挿入方向とは逆の方向へ変形しながら組み込まれる。換言すれば、１群鏡筒２の中心軸と直交する方向におけるマスク１００２のマスク突起１００２ａを含む箇所の長さ（第２の外径）は、１群鏡筒２の第１の保持部１００１ａの最も小さい内径（すなわち、嵌合径３０６）よりも大きい。そして、受け面３０４にマスク１００２が突き当たった状態で、マスク突起部１００２ａだけさらに押しこむと、マスク突起部１００２ａは第１の保持部１００１ａの切り欠き１００１ｂ内に入り込む。この時、切り欠き１００１ｂの底部３０３（端部）が、受け面３０４より第１レンズ１００１側（物体側）へ食い込んだ形状となっており、結果、マスク１００２は組み込み時のような変形のない状態となる。換言すれば、切り欠き１００１ｂは、マスク１００２のマスク突起部１００２ａ（一部）を収納可能に構成され、マスク突起部１００２ａが挿入（収納）されることで、マスク突起部１００２ａを変形のない状態に戻すことができる。マスク突起１００２ａが、接着溜まり部３０１（切り欠き１００１ｂ）に入り込む理由は、接着剤３０２の鏡筒内部への流れ込み防止のためである。嵌合径３０６よりマスク突起１００２ａが図示の径差だけ大きく、第１レンズ１００１と嵌合径３０６との隙間をオーバーラップしており、接着剤がこの隙間などに入り込むことを防止する。すなわち、マスク１００２は、１群鏡筒２の中心軸が延びる方向（保持枠に保持される複数の光学部材の光軸方向）において、接着溜まり部３０１、および、第１の保持部１００１ａと重なるマスク突起部１００２ａを有する。そうすることにより、供給される接着剤が第１レンズ１００１に接することを低減している。もちろんマスク１００２を無くし、第１レンズ１００１に直接第２レンズ１００３を押し付けて位置調整を行い、接着をすることも可能である。しかし、第１レンズ１００１は交換レンズ２００の外観となるレンズであり、第１レンズ１００１、第２レンズ１００３を通して接着剤が見えてしまい、交換レンズ２００の品位を損ねる虞がある。一般的にはレンズの外径付近は黒く塗装され、本実施例の第１レンズ１００１、第２レンズ１００３の形状において、接着剤が見えにくくはなる。しかし、接着剤が黒く塗装された面に付着すると、その付着した部分が外観から塗装部のシミのように見える場合がある。よって、本実施例では、交換レンズ２００の外観品位のため、接着剤３０２の鏡筒内の流れ込みを防止し、かつ接着剤３０２を隠すマスク１００２を第１レンズ１００１と第２レンズ１００３の間に配置している。マスク１００２は、このように第１レンズ１００１と第２レンズ１００３との間に設けられることで、接着溜まり部３０１から導入される接着剤３０２が第１レンズ１００１に接することを低減する保護部材として機能する。
【００４２】
本実施例では、第２レンズ１００３は、位置調整を行い、接着剤によって固定する構成としているが、第２レンズ１００３が固定できれば、接着剤による接着でなくとも構わない。たとえば、１群鏡筒２を熱変形させる方法や粘土やそれに準ずる材料を接着溜まり部に詰める方法など、第２レンズ１００３がその位置で固定できる方法であれば何でもよい。いずれの方法にせよ、外観に影響があるものが鏡筒内部に侵入するのを防止し、外観品位を損なわないため、マスク１００２は非常に有効である。
【００４３】
以上のように、本発明では、１群鏡筒２（レンズ鏡筒）の側面に６か所の穴を開けて、３か所から治工具を挿入してレンズ位置調整を行い、別の３か所の穴から接着剤を塗布し、第２レンズ１００３（調整レンズ）を固定する。その際に、接着剤が外観から見えないようにする目隠しとして、また接着剤がレンズ鏡筒内へ流入するのを防止するため、調整レンズの胴突き面にマスク１００２を配置して接着部を目隠しする。
【００４４】
このような構成によって、レンズ鏡筒およびそれを用いた光学機器や撮像装置の外観の品位を損なうことを防止し、小型化に寄与することができる。
【００４５】
以上、本発明の好ましい実施形態について説明したが、本発明はこれらの実施形態に限定されず、その要旨の範囲内で種々の変形及び変更が可能である。また設計機能を考慮した材質であれば、それを限定するものではない。
【産業上の利用可能性】
【００４６】
本発明のレンズ鏡筒は、双眼鏡、顕微鏡、プロジェクタなどの光学機器や、コンパクトデジタルカメラ、一眼レフカメラ、ビデオカメラなどの撮像装置に好適に利用できる。
【符号の説明】
【００４７】
２：１群鏡筒
３０１：接着溜まり部
１００１：第１レンズ
１００１ａ：第１の保持部
１００２：マスク
１００２ａ：マスク突起部
１００３：第２レンズ
１００３ａ：第２の保持部
【図１】
2016114847.tif 000003
【図２】
2016114847.tif 000004
【図３】
2016114847.tif 000005
【図４】
2016114847.tif 000006
【図５】
2016114847.tif 000007
【図６】
2016114847.tif 000008
【図７】
2016114847.tif 000009
【図８】
2016114847.tif 000010
【図９】
2016114847.tif 000011
【図１０】
2016114847.tif 000012